(57)【要約】【課題】浴室内に散水機構を設けることで、それに伴う水回りや電気系の工事を行う必要があり、利用者に多額の工事費用が生じてしまう問題や、浴槽内にある手すりの上部が清掃できない問題や、浴槽掃除の度に重い装置を出し入れする必要があり、利用者の負担となる問題や、浴槽掃除の度に浴槽の蓋を閉める手間が利用者の負担となる問題や、浴槽の上面が清掃できない問題がある。【解決手段】浴槽上面を走行する清掃機構と、浴槽上面を覆う蓋が収納されている蓋部収納機構と、を備えた浴槽清掃装置であって、前記清掃機構の駆動力により前記蓋部収納機構の蓋開閉を行うことを特徴とする浴槽清掃装置。【選択図】  図１
2016043015.tif 000002
【特許請求の範囲】
【請求項１】
浴槽上面を走行する清掃機構と、浴槽上面を覆う蓋が収納されている蓋部収納機構と、を備えた浴槽清掃装置であって、前記清掃機構の駆動力により前記蓋部収納機構の蓋開閉を行うことを特徴とする浴槽清掃装置。
【請求項２】
請求項１に記載の浴槽清掃装置であって、前記清掃機構の駆動力が、タイヤで伝達されることを特徴とする浴槽清掃装置。
【請求項３】
請求項１、２に記載の浴槽清掃装置であって、前記清掃機構の上方空間を介して蓋開閉を行うことを特徴とする浴槽清掃装置。
【請求項４】
請求項１、２、３に記載の浴槽清掃装置であって、前記タイヤが前記蓋に接することで前記清掃機構が走行することを特徴とする浴槽清掃装置。
【請求項５】
請求項１、２に記載の浴槽清掃装置であって、前記清掃機構の下方空間を介して蓋開閉を行うことを特徴とする浴槽清掃装置。
【請求項６】
請求項１、２、５に記載の浴槽清掃装置であって、前記タイヤが前記浴槽上面に接することで前記清掃機構が走行することを特徴とする浴槽清掃装置。
【請求項７】
請求項１に記載の浴槽清掃装置であって、浴槽内に対して洗浄液及び水を放水する瀑布機構が前記清掃機構に付帯していることを特徴とする浴槽清掃装置。
【請求項８】
請求項１、７に記載の浴槽清掃装置であって、前記瀑布機構が回転し、前記洗浄液及び水を噴出する方向を変化させることを特徴とする浴槽清掃装置。
【請求項９】
請求項１に記載の浴槽清掃装置であって、浴槽内を洗浄するためのブラシが前記清掃機構に付帯していることを特徴とする浴槽清掃装置。
【請求項１０】
請求項１に記載の浴槽清掃装置であって、前記清掃機構に浴槽上面の汚れを吸着するためのブラシが付帯していることを特徴とする浴槽清掃装置。
【請求項１１】
請求項１に記載の浴槽清掃装置であって、前記清掃機構に浴槽上面の汚れを浴槽内に落とすブラシを付帯していることを特徴とする浴槽清掃装置。
【請求項１２】
請求項１に記載の浴槽清掃装置であって、前記清掃機構の駆動力が、ギアで伝達されることを特徴とする浴槽清掃装置。
【発明の詳細な説明】
【技術分野】
【０００１】
本発明は、浴室や浴槽、洗い場において、人体や動物の汚れを洗う浴槽清掃装置に関する。本発明において、汚れとは、皮脂、ふけ、髪の毛、錆、水垢、カビ、ヌメリなどである。
【背景技術】
【０００２】
近年、社会構造の変革、晩婚化、高齢化に伴い、単身者、共働き世帯、高齢者のいずれもが増加傾向にあり、家事の省力化に対する要求が益々大きくなっている。特に浴槽掃除は、腰をかがめる、力を入れて擦る等の重労働を伴う一方で、毎日行う必要があり、数ある家事の中でも負担の大きい家事の一つとされている。
【０００３】
従来、浴槽底面に散水器を設け、洗浄液と水を交互に散水することにより、汚れを除去する手法が多かった。また、特許文献１に記載のように、浴槽底面を走行する移動装置に備わったブラシで浴槽壁面を擦って清掃する方法もある。また、特許文献２に記載のように、浴槽上を走行する清掃機構に備わったブラシで浴槽壁面を擦って清掃する方法もある。また、特許文献３に記載のように、浴槽の蓋に通水路を設け、浴槽内に噴射して洗浄する方法もある。
【先行技術文献】
【特許文献】
【０００４】
【特許文献１】特開２０１０−２７４０７２号公報
【特許文献２】特開２００６−１１００７０号公報
【特許文献３】特開平４−３２２６２０号公報
【発明の概要】
【発明が解決しようとする課題】
【０００５】
しかしながら、浴槽底面に散水器を設ける手法では、浴室内に散水機構を設けなければならない。それに伴う水回りや電気系の工事を行う必要があり、利用者に多額の工事費用が生じてしまう問題があった。
【０００６】
特許文献１に記載のような、浴槽底面を走行する移動装置に備わったブラシで浴槽壁面を擦って清掃する方法や、特許文献２に記載のような、浴槽上を走行する清掃機構に備わったブラシで浴槽壁面を擦って清掃する方法では、浴槽掃除の度に重い装置を出し入れする必要があり、利用者の負担となる問題があった。
【０００７】
特許文献３に記載のように、浴槽の蓋に通水路を設け、浴槽内に噴射して洗浄する方法では、浴槽掃除の度に浴槽の蓋を閉める必要があり、その手間が利用者の負担となる問題があった。また、浴槽上面を清掃できない問題があった。
【０００８】
本発明は上記問題を解決するためになされたもので、浴槽掃除の度に装置を出し入れする必要が無く、自動で浴槽の蓋を開閉して、浴槽を清掃する浴槽清掃装置を提供することを目的とする。
【課題を解決するための手段】
【０００９】
本発明に関わる浴槽清掃装置は、浴槽上面を走行する清掃機構と、浴槽上面を覆う蓋が収納されている蓋部収納機構と、を備えた浴槽清掃装置であって、前記清掃機構の駆動力により前記蓋部収納機構の蓋開閉を行うことを特徴とする。
【００１０】
加えて、前記清掃機構の駆動力がタイヤで伝達され、前記清掃機構の上方空間を介して蓋開閉を行うことを特徴とし、タイヤが前記蓋に接することで前記清掃機構が走行することを特徴とする。あるいは、前記清掃機構の駆動力がタイヤで伝達され、前記清掃機構の下方空間を介して蓋開閉を行うことを特徴とし、タイヤが前記浴槽上面に接することで前記清掃機構が走行することを特徴とする。または、タイヤで伝達する代わりにギアで伝達することを特徴とする。
【００１１】
加えて、浴槽内に対して洗浄液及び水を放水する瀑布機構が前記清掃機構に付帯していることを特徴とし、前記瀑布機構が回転し、前記洗浄液及び水を噴出する方向を変化させることを特徴とする。あるいは、浴槽内を洗浄するためのブラシが前記清掃機構に付帯していることを特徴とする。
【００１２】
加えて、前記清掃機構に浴槽上面の汚れを吸着するためのブラシが付帯していることを特徴とする。あるいは、前記清掃機構に浴槽上面の汚れを浴槽内に落とすブラシを付帯していることを特徴とする。
【発明の効果】
【００１３】
本発明の浴槽清掃装置によれば、浴室内に散水機構を設けることで、それに伴う水回りや電気系の工事を行う必要があり、利用者に多額の工事費用が生じてしまう問題や、浴槽内にある手すりの上部が清掃できない問題や、浴槽掃除の度に重い装置を出し入れする必要があり、利用者の負担となる問題や、浴槽掃除の度に浴槽の蓋を閉める手間が利用者の負担となる問題や、浴槽の上面が清掃できない問題を生じることなく、浴槽を清掃することができる。
【図面の簡単な説明】
【００１４】
【図１】本発明の一つの装置構成例を示した斜視図である。
【図２】本発明の一つの装置構成例を示した断面図である。
【図３】本発明の一つの実施形態を示した斜視図である。
【図４】本発明の一つの実施形態を示した側面図である。
【図５】本発明の一つの実施形態を示した断面図である。
【図６】本発明の一つの実施形態を示したフローチャートである。
【図７】本発明の一つの実施形態を示した断面図である。
【図８】本発明の一つの実施形態を示した断面図である。
【発明を実施するための形態】
【００１５】
走行する移動装置に備わったブラシで浴槽壁面を擦って清掃する方法や、浴槽上を走行する清掃機構に備わったブラシで浴槽壁面を擦って清掃する方法では、浴槽掃除の度に重い装置を出し入れする必要があり、利用者の負担となる問題があった。
【００１６】
本手法においては、清掃機構と蓋部収納機構を備えた浴槽清掃装置を浴槽上に常時設置することで、上記課題を解決することができる。
【００１７】
以下、本発明に係わる浴槽清掃の一つの実施例について、図面を参照して説明する。
【００１８】
〔実施形態１〕
図１は、本発明に係わる浴槽清掃装置を表す略図である。浴槽清掃装置は、浴槽１の上面を走行する清掃機構２と浴槽上面に常時設置されている蓋部収納機構４で構成されており、清掃機構２に付随するクローラ５と蓋部収納機構４に付随する蓋３が接するように配置されている。
【００１９】
図２は、本発明に係わる浴槽清掃装置を表す断面図である。軸１１を中心として螺旋状に収納されている蓋３はガイド機構１２により案内され、クローラ５と接している。電磁石１４が通電し、磁力を帯びた状態になると、蓋部収納機構４に対する清掃機構２の位置は固定された状態となる。この時、クローラ５をCCW方向に回転させると、蓋３が蓋部収納機構４から徐々に引き出され、最終的には浴槽１が蓋３で覆われた状態になる。一方、蓋３を蓋部収納機構４に収納する際には、電磁石１４を通電させ、蓋部収納機構４に対する清掃機構２の位置を固定し、クローラ５をCW方向に回転させる。
【００２０】
浴槽１が蓋３で覆われた状態になった時、電磁石１４の通電をやめると、図３に示すように、清掃機構２２が浴槽上面２１を走行できる状態になる。
【００２１】
走行している際の詳細図を、図４に示す。クローラ３１をCW方向に回転させると、清掃機構２は蓋部収納機構４から遠ざかる方向に進むことができる。この時、クローラ５の材質はゴムやシリコンなど摩擦の大きい材料が望ましく、カバー３２の材質はアクリルやテフロン（登録商標）、PETなど摩擦の小さな材料が望ましい。また、クローラ３１をCCW方向に回転させると、清掃機構２は蓋部収納機構４に近づく方向に進むことができる。
【００２２】
〔実施形態２〕
以下、本発明に係わる浴槽清掃の一つの実施例について、図面を参照して説明する。図５は清掃機構２内に下向きに放水する瀑布機構を設けた場合の断面図である。
【００２３】
瀑布機構に付随している洗浄液投入口より投入された洗浄液の原液は、貯蓄槽４１に貯蓄され、機能ユニット４２において、ホース４３より供給された水と必要に応じて混合し、水圧を０.１５[Mpa]〜０.７５[Mpa]とした上で、噴出ユニット４４に送水し、洗浄液及び水４５として噴出する。水温はカビ対策として効果的な４５度以上が望ましく、ホース４３より温水を供給する他、機能ユニット４２内にヒーターを設け、洗浄液を温める方法もある。
【００２４】
具体的な清掃フローを図６に示す。まず、清掃機構２は、瀑布機構より水を噴出しながら、蓋部収納機構４から遠ざかる方向へ走行し、予備洗浄を行う。次に、瀑布機構より洗浄液を噴出しながら蓋部収納機構４に近づく方向へ走行し、浴槽壁面及び底面の汚れを浮かせる。最後に、瀑布機構より再度水を噴出しながら往復走行し、汚れをすすいで落とし、清掃を終了する。
【００２５】
図７は噴出ユニットを斜めに向けた場合の断面図である。
【００２６】
従来、浴槽底面に散水器を設け、洗浄液と水を交互に散水することにより、汚れを除去する手法が多かった。しかしながら、下から洗浄液やすすぎ用の水を噴き上げる方式であるため、皮脂汚れが付着しやすい浴槽内の手すりの上面を洗浄出来ない。
【００２７】
本手法においては、浴槽の上面より洗浄液及び水を噴出するため、皮脂汚れが付着しやすい浴槽内の手すり５１の上面を効率的に洗浄することができる。また、手すりの形状によっては、単純に上方向から放水するだけでは洗浄できない場合がある。そのため、噴出ユニット５２のように、斜め方向からの放水を可能にするような機構を設けても良い。
【００２８】
〔実施形態３〕
以下、本発明に係わる浴槽内の手すり清掃における一つの実施例について、図面を参照して説明する。図８は清掃機構２内にブラシ機構を設けた場合の断面図である。
【００２９】
浴槽壁面６１のような複雑な曲面に対しても対応出来るよう、ブラシ６２はゴムやスポンジ等の柔軟な素材が望ましい。このブラシ６２を押し付け機構６３により浴槽壁面６１に押し付けることで、浴槽壁面を洗浄することができる。
【００３０】
走行する移動装置に備わったブラシで浴槽壁面を擦って清掃する方法や、浴槽上を走行する清掃機構に備わったブラシで浴槽壁面を擦って清掃する方法では、浴槽掃除の度に重い装置を出し入れする必要があり、利用者の負担となる問題があった。
【００３１】
本手法においては、清掃機構２内にブラシ６２を収納できるようにすることで、上記課題を解決することができる。
【００３２】
〔実施形態４〕
浴槽の蓋に通水路を設け、浴槽内に噴射して洗浄する方法においては、浴槽上面を清掃できない問題があった。
【００３３】
本手法においては、清掃機構２に浴槽上面の汚れを吸着する吸着ローラをつけることで、上記課題を解決することができる。
【００３４】
また、清掃機構２に浴槽上面の汚れを浴槽内に落とすブラシをとりつけ、浴槽内を洗浄する際に、一緒に洗浄してしまう方法もある。
【符号の説明】
【００３５】
１  浴槽
２  清掃機構
３  蓋
４  蓋部収納機構
５  クローラ
１１  軸
１２  ガイド機構
１４  電磁石
２１  浴槽上面
２２  清掃機構
３１  クローラ
３２  カバー
４１  貯蓄槽
４２  機能ユニット
４３  ホース
４４  噴出ユニット
４５  水
５２  噴出ユニット
６１  浴槽壁面
６２  ブラシ
６３  押し付け機構
【図６】
2016043015.tif 000003
【図１】
2016043015.tif 000004
【図２】
2016043015.tif 000005
【図３】
2016043015.tif 000006
【図４】
2016043015.tif 000007
【図５】
2016043015.tif 000008
【図７】
2016043015.tif 000009
【図８】
2016043015.tif 000010